(57)【要約】【課題】利用者の希望する予め設定されたフルセグとワンセグのいずれかの再生方式を用いて、所望の番組を表示させ、再生方式を選択する入力操作の負担を軽減させることを課題とする。【解決手段】放送番組を表示する表示部と、放送の電波に含まれる複数の再生方式に関する情報のいずれかを選択的に受信する電波受信部と、受信した電波から、特定の放送番組に関する番組情報を取得する番組情報取得部と、表示部に表示すべき番組の再生方式を判定するための１または複数の再生条件を設定した情報であって、各再生条件がキーワードと再生方式とを含む再生条件情報を予め記憶した記憶部と、取得された番組情報と再生条件情報とを用いて、表示すべき番組の再生方式を判定する再生方式判定部と、判定された再生方式を用いて、表示すべき番組を表示部に表示させる再生制御部とを備えた放送受信装置。【選択図】図３
2015109587.tif 000002
【特許請求の範囲】
【請求項１】
デジタル放送の番組を表示する表示部と、
デジタル放送の電波に含まれる複数の再生方式に関する情報のいずれかを選択的に受信する電波受信部と、
前記受信した電波から、特定の放送番組に関する番組情報を取得する番組情報取得部と、
前記表示部に表示すべき番組の再生方式を判定するための１または複数の再生条件を設定した情報であって、前記各再生条件がキーワードと再生方式とを含む再生条件情報を予め記憶した記憶部と、
前記取得された番組情報と、前記再生条件情報とを用いて、前記表示すべき番組の再生方式を判定する再生方式判定部と、
前記判定された再生方式を用いて、前記表示すべき番組を前記表示部に表示させる再生制御部とを備えたことを特徴とする放送受信装置。
【請求項２】
前記複数の再生方式には、ワンセグ情報を表示するためのワンセグ再生方式と、フルセグ情報を表示するためのフルセグ再生方式とが含まれることを特徴とする請求項１に記載の放送受信装置。
【請求項３】
前記再生方式判定部が、前記各再生条件に含まれるキーワードと、前記取得された番組情報とを比較するキーワード比較部を備え、前記キーワードが、取得された番組情報の中に含まれていた場合に、そのキーワードを含む再生条件に予め設定されていた再生方式を、前記表示すべき番組の再生方式と判定することを特徴とする請求項１または２に記載の放送受信装置。
【請求項４】
前記再生条件情報の再生条件が複数個設定されている場合、各再生条件に優先度を設定し、前記キーワード比較部によるキーワードと取得された番組情報との比較の結果、複数の再生条件のキーワードが、前記取得された番組情報に含まれていた場合、その含まれていたキーワードが設定されていた複数の再生条件のうち、最も優先度の高い再生条件に設定されていた再生方式を、前記表示すべき番組の再生方式と判定することを特徴とする請求項３に記載の放送受信装置。
【請求項５】
前記取得された番組情報には、番組を特定するための情報であって、少なくとも、番組名とあらすじとが含まれ、前記キーワード比較部は、前記キーワードが、前記番組名とあらすじの中に含まれているか否かを確認することを特徴とする請求項３に記載の放送受信装置。
【発明の詳細な説明】
【技術分野】
【０００１】
この発明は、放送受信装置に関し、特に、受信したデジタル放送を、いわゆるワンセグ情報のみを再生する再生方式と、フルセグ情報を再生する再生方式のどちらかで表示させることのできる放送受信装置に関する。
【背景技術】
【０００２】
今日、地上デジタル放送の受信機では、受信した放送番組を２つの再生方式のどちらかで再生することが可能なものがある。１つは、比較的データ量の少ない１セグメントのワンセグ情報のみを再生するワンセグ再生方式であり、もう一つは、高画質の１２のセグメントからなるフルセグ情報を再生するフルセグ再生方式である。
以下、１セグメントを、ワンセグと呼び、１２セグメントを、１２セグまたはフルセグと呼ぶ。
【０００３】
このような地上デジタル放送を受信できる受信装置では、放送された電波状況に基づいて、ワンセグとフルセグとを自動的に切り替えるものや、ワンセグとフルセグの受信周波数の電波状況などの情報を画面に表示させて、ユーザが、表示された電波状況を判断することにより、ワンセグとフルセグのどちらかに切り替えることを可能とするデジタル放送受信装置が提案されている。
【先行技術文献】
【特許文献】
【０００４】
【特許文献１】特開２００８−１３６０８４号公報
【発明の概要】
【発明が解決しようとする課題】
【０００５】
しかし、電波状況に基づいて、ワンセグとフルセグとを自動的に切り替えるものでは、ユーザがフルセグで見たいと考えている番組であっても、その電波状況によって、ユーザの意図と異なるワンセグ再生方式で再生されてしまう場合がある。
また、電波状況などの情報を画面に表示させて、ユーザがその表示を見て、ワンセグおよびフルセグの再生方式を切り替える場合には、ユーザは、所望の番組を選択したときに、その都度、表示を見て電波状況等を確認し、自己の希望する再生方式を選択する入力操作をする必要がある。
【０００６】
特に、ユーザがフルセグで見たい番組と、ワンセグで再生されてもよいと考える番組が決まっている場合に、番組を選択する操作をした後に、さらに、その番組の再生方式を選択する入力操作をするのはユーザにとって面倒であり、操作負担が大きい。
たとえば、ユーザがフルセグで見たいと考える番組は、再生方式を選択する入力操作をすることなく、フルセグで表示させるようにすることが、ユーザの入力操作の手間が省略でき、好ましいと考えられる。
【０００７】
そこで、この発明は、以上のような事情を考慮してなされたものであり、ユーザが希望する再生方式が決まっている場合には、再生方式を選択する入力操作をすることなく、所望の番組を、ユーザの希望する再生方式で再生することが可能となる放送受信装置を提供することを課題とする。
【課題を解決するための手段】
【０００８】
この発明は、デジタル放送の番組を表示する表示部と、デジタル放送の電波に含まれる複数の再生方式に関する情報のいずれかを選択的に受信する電波受信部と、前記受信した電波から、特定の放送番組に関する番組情報を取得する番組情報取得部と、前記表示部に表示すべき番組の再生方式を判定するための１または複数の再生条件を設定した情報であって、前記各再生条件がキーワードと再生方式とを含む再生条件情報を予め記憶した記憶部と、前記取得された番組情報と、前記再生条件情報とを用いて、前記表示すべき番組の再生方式を判定する再生方式判定部と、前記判定された再生方式を用いて、前記表示すべき番組を前記表示部に表示させる再生制御部とを備えたことを特徴とする放送受信装置を提供するものである。
【０００９】
また、前記複数の再生方式には、ワンセグ情報を表示するためのワンセグ再生方式と、フルセグ情報を表示するためのフルセグ再生方式とが含まれることを特徴とする。
【００１０】
また、前記再生方式判定部が、前記各再生条件に含まれるキーワードと、前記取得された番組情報とを比較するキーワード比較部を備え、前記キーワードが、取得された番組情報の中に含まれていた場合に、そのキーワードを含む再生条件に予め設定されていた再生方式を、前記表示すべき番組の再生方式と判定することを特徴とする。
【００１１】
また、前記再生条件情報の再生条件が複数個設定されている場合、各再生条件に優先度を設定し、前記キーワード比較部によるキーワードと取得された番組情報との比較の結果、複数の再生条件のキーワードが、前記取得された番組情報に含まれていた場合、その含まれていたキーワードが設定されていた複数の再生条件のうち、最も優先度の高い再生条件に設定されていた再生方式を、前記表示すべき番組の再生方式と判定することを特徴とする。
【００１２】
また、前記取得された番組情報には、番組を特定するための情報であって、少なくとも、番組名とあらすじとが含まれ、前記キーワード比較部は、前記キーワードが、前記番組名とあらすじの中に含まれているか否かを確認することを特徴とする。
【発明の効果】
【００１３】
この発明によれば、キーワードと再生方式とを含む再生条件が予め設定された再生条件情報と取得された番組情報とを用いて、表示すべき番組の再生方式を判定するので、再生方式の入力操作について利用者の負担を軽減できる。また、取得された番組情報の中にキーワードが含まれていた場合に、そのキーワードを含む再生条件に予め設定されていた再生方式が、表示すべき番組の再生方式と判定されるので、利用者は、再生すべき番組を自己が希望する再生方式で再生することが可能となり、再生すべき番組の再生方式を選択する入力操作を、その都度する必要はなく、再生方式についての入力操作の負担を軽減できる。
【図面の簡単な説明】
【００１４】
【図１】この発明の放送受信装置の一実施例の構成ブロック図である。
【図２】記憶部に記憶される情報の一実施例の説明図である。
【図３】この発明の再生方式の判定処理および再生処理の一実施例のフローチャートである。
【図４】この発明の再生方式判定処理の一実施例のフローチャートである。
【発明を実施するための形態】
【００１５】
以下、図に示す実施例に基づいて、この発明を説明する。
なお、これによって、この発明が限定されるものではない。
＜放送受信装置の構成＞
図１に、この発明の放送受信装置の一実施例の構成ブロック図を示す。
この発明の放送受信装置（以下、テレビとも呼ぶ）は、放送局から送信されたデジタル放送の電波を受信して、選択された放送番組を表示画面に表示させる装置であり、受信した放送電波から、複数の再生方式に関する情報のいずれかを取り出し、取り出した情報を再生可能な再生方式によって放送番組を表示させる機能を有するものである。上記の複数の再生方式に関する情報としては、ワンセグ情報とフルセグ情報とが含まれる。以下の実施例では、番組の再生方式は、ワンセグ情報を表示するためのワンセグ再生方式と、フルセグ情報を表示するためのフルセグ再生方式のいずれかとする。
【００１６】
図１に示すように、放送受信装置は、主として、ワンセグ受信部１、フルセグ受信部２、入力部３、表示部４、番組情報取得部５、再生制御部６、再生方式判定部７、キーワード比較部８、一致度演算部９、演算結果比較部１０、記憶部２０を備える。
ワンセグ受信部１は、デジタル放送の電波から、特定の１セグメントに割り当てられたワンセグ情報を選択的に受信する部分である。後述するように、再生方式がワンセグに設定された場合に、ワンセグ受信部１によって受信されたワンセグ情報を用いて、選択された番組が表示部４に表示される。
フルセグ受信部２は、デジタル放送の電波から、１２セグメントからなるフルセグ情報を受信する部分である。再生方式がフルセグに設定された場合に、フルセグ受信部２によって受信されたフルセグ情報を用いて、選択された番組が表示部４に表示される。
ワンセグ受信部１とフルセグ受信部２とが、デジタル放送の電波に含まれるフルセグ情報およびワンセグ情報のいずれかを選択的に受信する電波受信部に相当する。
【００１７】
入力部３は、利用者が、所望の情報の入力や、所望の機能の選択入力を行う部分であり、たとえば、チャンネルを切りかえる入力操作、あるいは、後述する予約番組情報２２や、再生条件情報２４を入力する部分である。
入力部３としては、たとえば、キーボード、マウス、タッチパネル、テレビに付属するリモコンなどが用いられる。
表示部４は、デジタル放送の番組を表示させる部分であり、ユーザによって選択された番組が、その番組を特定する番組情報に基づいて判定されたフルセグかあるいはワンセグのいずれかの再生方式で、表示される。
表示部４としては、ＬＣＤ、ＰＤＰ、有機ＥＬディスプレイなど、現在市販されているいずれかの表示パネルを用いればよい。
【００１８】
番組情報取得部５は、受信したデジタル放送の電波から、特定の放送番組に関する情報（以下、番組情報と呼ぶ）を取得する部分である。
たとえば、利用者によって視聴予約された番組に関する情報、あるいは利用者が今から見ようとして選択したチャンネルで現在放送されている番組に関する情報を取得する。
ここで取得される番組情報とは、１つの番組を特定する情報であり、たとえば、番組名、あらすじ、チャンネル番号、などが含まれる。
以下の実施例では、説明を容易にするために、番組情報は、「番組名」と「あらすじ」とからなるものとして説明するが、この２つの情報に限るものではない。
【００１９】
番組情報を取得するタイミングは、定期的に取得するようにしてもよいが、たとえば、すでに視聴予約した番組がある場合、その予約番組が開始する時刻の数分前になったときに、取得してもよい。
また、利用者がテレビの電源を投入し、テレビが起動された場合に、前回電源切断時に視聴していたチャンネルで現在放送されている番組の情報を取得してもよい。
あるいは、テレビが起動された後、利用者が視聴するチャンネルを切り替える操作をした場合に、切替後のチャンネルで現在放送されている番組の情報を取得してもよい。
【００２０】
再生制御部６は、選択されたチャンネルの表示すべき番組を、再生方式判定部７によって判定された再生方式の判定結果に基づいて、表示部４に表示させる部分である。
再生方式の判定結果２６は、「フルセグ」あるいは「ワンセグ」のいずれかである。
たとえば、判定結果が「ワンセグ」の場合は、選択されたチャンネルの番組を、ワンセグ受信部１によって受信されたワンセグ情報を用いて、表示部４に表示させる。
【００２１】
また、再生制御部６は、デジタル放送を受信して、所定のチャンネルの番組を表示部４に表示させるために、図１に示した各機能ブロックの動作を制御する部分であり、主として、ＣＰＵ，ＲＯＭ，ＲＡＭ，Ｉ／Ｏコントローラ、タイマーなどからなるマイクロコンピュータにより実現される。ＣＰＵは、ＲＯＭやＲＡＭなどに記憶されたプログラムに基づいて、各種ハードウェアを有機的に動作させることにより、この発明の放送受信処理、再生方式判定処理、番組表示処理などを行わせる。
【００２２】
再生方式判定部７は、取得された番組情報と、予め設定された再生条件情報とを用いて、現在視聴しようとしている表示すべき番組の再生方式を、自動的に、決定する部分である。
たとえば、利用者が選択したチャンネルで現在放送中の番組を特定する番組情報が、予め設定された再生条件のキーワードを含むものである場合に、その再生条件の中にキーワードと対応づけられて予め設定されていた再生方式を、表示すべき番組の再生方式として決定する。ここで決定された再生方式は、ワンセグあるいはフルセグのいずれかであり、後述する判定結果２６として記憶される。
この再生方式の判定は、上記の方法に限るものではなく、後述する実施例に示すように種々の方法を用いることができる。
【００２３】
再生方式判定部７は、再生方式を決定するために、主として、キーワード比較部８と、一致度演算部９と、演算結果比較部１０とを備える。
ただし、利用する判定方法によって、利用する機能ブロックは異なる。
キーワード比較部８は、後述する再生条件情報２４に記憶されている各再生条件に含まれるキーワードと、取得された取得番組情報２１に含まれる情報とを比較する部分である。
ここでは、取得した番組情報の中に、キーワードと一致する情報が含まれているか否かを判定する。
番組情報が、たとえば、番組名とあらすじとからなる場合、取得された番組名とあらすじの中に、キーワードと一致する文字列が存在するか否かを確認する。
この取得された番組情報の中に、キーワードと一致する文字列が含まれていた場合は、たとえば、そのキーワードが設定されている再生条件が満たされたと判断し、そのキーワードを含む再生条件に予め対応付けて設定されていた再生方式が，表示すべき番組の再生方式として採用される。
【００２４】
一致度演算部９は、取得された番組情報と、一致可能なキーワードを有する再生条件情報２４についての一致度の程度を演算する部分である。
一致度の程度は、後述するような所定の重要度や優先度に基づいて数値化される。
また、数値化された一致度の程度を用いて、キーワードと対応づけて設定されている再生方式ごとに、所定の演算基準で、合計点を演算する。
すなわち、演算結果として、フルセグの合計点と、ワンセグの合計点とを求める。
再生条件情報２４として、予め設定された再生条件が複数個存在する場合、取得された番組情報の中には、複数の再生条件のキーワードと一致する文字列が含まれる場合がある。
たとえば、再生条件１にキーワードＡが設定され、再生条件２にキーワードＢが設定されていた場合に、取得された番組情報の中に、キーワードＡとキーワードＢの両方が含まれる場合があり得る。
このとき、どちらの再生条件も一致可能なキーワードを有することになるが、再生条件１と２に設定されている再生方式が異なる場合、再生方式を、フルセグかワンセグのどちらかに決定する必要があるので、上記した一致度演算部９による演算結果（フルセグ合計点とワンセグ合計点）を利用する。
一致度演算部９の具体的処理については、後述する。
【００２５】
演算結果比較部１０は、一致度演算部９によって演算された結果を比較する部分である。
具体的には、後述するように、フルセグ合計点と、ワンセグ合計点の大小関係を比較する部分である。
ここで、原則として、合計点の大きい方の再生方式を採用するものとし、その合計点の大きい再生方式を、判定結果２６として記憶する。
たとえば、フルセグ合計点の方が、ワンセグ合計点よりも大きい場合は、再生方式として、フルセグを採用し、判定結果２６に、フルセグを意味する情報を記憶する。
上記したように、この判定結果２６が示す再生方式により、視聴する番組が表示部４に表示される。
【００２６】
記憶部２０は、この発明の放送受信装置の各機能を実行するために必要な情報やプログラムを記憶する部分である。
記憶部２０としては、ＲＯＭ、ＲＡＭ、フラッシュメモリなどの半導体記憶素子、ＨＤＤやＳＳＤなどの記憶装置、その他の記憶媒体が用いられる。
記憶部２０には、主として、取得番組情報２１、予約番組情報２２、番組設定情報２３、再生条件情報２４、演算結果情報２５、判定結果２６が記憶される。
【００２７】
図２に、この発明の記憶部に記憶される情報の一実施例の説明図を示す。
取得番組情報２１は、放送局から放出された電波に含ませて送信される番組情報のうち、現在視聴しようとしている番組に関する情報を記憶したものである。たとえば、利用者がチャンネルを切り替える操作をしたときに、取得される情報であり、切り替え後のチャンネルで現在放送されている番組に関する情報である。
【００２８】
図２には、取得番組情報２１として、「番組名」と、「あらすじ」とからなる例を示している。ここでは、「番組名」が「ニュース９」であり、「あらすじ」が「太平洋のダイオウイカの撮影に成功」という情報が取得されたことを意味する。
取得番組情報２１としては、原則として、最新の取得番組情報を１つだけ記憶するものとするが、過去に取得されたいくつかの番組情報を履歴として記憶してもよい。
【００２９】
予約番組情報２２は、近い将来放送されることが予定されている番組の中から、利用者が、視聴することを予約した番組に関する情報である。たとえば、各放送局の番組表の一覧リストの中から、ユーザが、視聴を希望する番組を選択することにより、その選択した番組の情報が記憶される。
予約番組情報２２は、図２に示すように、たとえば、チャンネル番号、番組名、予約時間を含み、その他に、予約年月日、あらすじなどを含めてもよい。
予約された番組が複数個ある場合は、そのすべての番組の予約情報を記憶すればよい。
【００３０】
番組設定情報２３は、番組を識別するのに利用する情報(識別情報)と、その情報の重要度とを予め設定したものである。図２では、識別情報として、番組情報に含まれる「番組名」と「あらすじ」を設定し、さらに、それぞれの情報の重要度を、「３」、「１」として設定している。
重要度は、識別情報の重要の程度を意味し、再生方式判定部７によって再生方式を決定するときに、キーワードと番組情報の一致度を求めるために利用する数値である。
たとえば、図２の番組設定情報２３では、「番組名」の重要度が３であり、「あらすじ」の重要度が１であるので、番組名が一致したときの重みの方が、「あらすじ」が一致したときよりも大きいことを意味する。重要度の利用方法の詳細は、後述する。
【００３１】
再生条件情報２４は、表示部４に表示すべき番組の再生方式を判定するための１または複数の再生条件を設定した情報であり、利用者が入力部３を用いて、予め設定しておく。各再生条件は、少なくとも、キーワードと、再生方式とを含む。
また、図２に示すように、再生条件には、条件番号、優先度などを含めてもよい。ただし、条件番号の数値が優先度を示している場合には、優先度を設定する必要はない。
条件番号は、利用者が設定した再生条件の順序番号であり、たとえば、利用者が入力した順序どおりの番号である。
あるいは、優先度が設定されておらず、条件番号が優先度も示している場合には、たとえば、条件番号１の再生条件の優先度が最も高く、条件番号２の再生条件の優先度が次に高く、設定された再生条件の数がｎ個の場合に、ｎ番目の条件番号ｎの再生条件が最も低い優先度を持つものとする。
【００３２】
キーワードは、利用者が設定入力した文字列であり、利用者が視聴したいと考える番組の番組情報の中に含まれるであろうと予測する文字列である。例えば、利用者が「ダイオウイカ」に関する番組を見たいと考える場合には、再生条件のキーワードとして、「ダイオウイカ」という文字列を入力すればよい。
【００３３】
図２の再生条件情報２４では、３つの再生条件の具体例を示している。ここでは、３つの再生条件のキーワードとして、それぞれ、「ダイオウイカ」、「ＡＫＢ４８」、「ニュース９」を設定した例を示している。
再生方式は、設定したキーワードを含む番組を再生しようとする場合に、ワンセグあるいはフルセグのどちらの方式で再生するかを設定した情報である。設定される再生方式は、「フルセグ」あるいは「ワンセグ」のいずれかである。たとえば、利用者は、設定したキーワードを含む番組を、フルセグの再生方式で見たい場合は、「フルセグ」を選択入力しておけばよい。
図２の再生条件情報２４では、再生方式として、再生条件１と２については、「フルセグ」が設定され、再生条件３については、「ワンセグ」が設定されたものを示している。
【００３４】
優先度は、一致度を計算するときのポイント数を意味する。複数の再生条件が設定されている場合において、取得番組情報２１の内容の中に、複数の再生条件のキーワードが同時に含まれている場合があり得る。
例えば、図２において、取得番組情報２１の例の内容（番組名とあらすじ）の中には、「ニュース９」と、「ダイオウイカ」とが含まれるので、これらの文字列は、条件番号１の再生条件と条件番号３の再生条件に設定されたキーワードと一致する。すなわち、２つの再生条件（１，３）が満たされる。
取得番組情報２１によって特定される番組を再生する場合に、再生方式を決める必要があるが、２つの再生条件（１，３）が満たされているので、どちらの再生条件を優先するかを決める必要がある。この優先する再生条件を決定するために、優先度を利用する。たとえば、２つの再生条件のうち、優先度の数値（ポイント数）が大きい再生条件を優先し、その優先した再生条件の再生方式を採用するようにしてもよい。
【００３５】
すなわち、前記したキーワード比較部８によって、各再生条件のキーワードと、取得された番組情報との比較の結果、複数の再生条件のキーワードが、取得された番組情報に含まれていた場合、その含まれていたキーワードが設定されていた複数の再生条件のうち、最も優先度の高い再生条件に設定されていた再生方式を、表示すべき番組の再生方式と判定する。
【００３６】
図２の再生条件情報２４の場合、３つの再生条件のうち、条件番号１の再生条件１の優先度が「５」で最も高く、再生条件３の優先度が「３」で最も低いものとして設定されている。したがって、再生条件１の方が優先度が大きいため、再生条件１を採用するものとする。再生条件１が採用される場合には、この再生条件１に設定された再生方式である「フルセグ」で番組が再生される。
ただし、後述する再生方式の判定処理では、単純に、この優先度のみを利用して採用する再生条件を決定するのではなく、優先度のほかに、上記した重要度も利用して、再生方式を決定するものとする。
この優先度も、利用者が再生条件を設定するときに入力すればよい。
優先度の数値（ポイント数）は、これに限るものではなく、利用者が独自に設定すればよい。また、優先度を設定しないで、条件番号が優先度をも示している場合は、取得番組情報２１に対して、複数の再生条件が満たされたとき、満たされた再生条件のうち優先度の最も高い条件番号の再生条件を採用すればよい。
【００３７】
演算結果情報２５は、２つの再生方式それぞれについて、一致度演算部９によって演算された一致度の合計点を記憶したものである。一致度演算部９では、ワンセグとフルセグのそれぞれについての一致度が計算され、その演算結果として、ワンセグ合計点と、フルセグ合計点とが求められる。これらの演算結果の求め方は、上記した重要度や優先度の利用方法などによって異なり、後述する実施例のように、いくつかのバリエーションが考えられる。
図２の演算結果情報２５では、ワンセグ合計点が「１」で、フルセグ合計点が「２」の場合を示している。
【００３８】
判定結果２６は、演算結果比較部１０が、上記した演算結果情報２５を用いて、再生方式をフルセグとワンセグのどちらにするかを決めた結果を意味する。以下の実施例では、ワンセグ合計点とフルセグ合計点のうち、点数の大きい方の再生方式を採用し、採用した再生方式を判定結果２６として記憶するものとする。
図２の演算結果情報２５の場合は、フルセグ合計点の方が、ワンセグ合計点よりも大きいので、再生方式として、フルセグを採用し、判定結果２６の選択再生方式として「フルセグ」が記憶される。
【００３９】
＜再生方式判定処理＞
（実施例１）
以下に、利用者が番組を視聴する場合に、視聴する番組の再生方式を判定する処理について説明する。
図３に、この発明の再生方式判定および再生処理の一実施例のフローチャートを示す。
また、図４に、図３に示すステップＳ６の再生方式判定処理の一実施例のフローチャートを示す。
ここでは、番組設定情報２３の重要度と、再生条件情報２４の優先度は使用せず、再生条件情報２４の条件番号そのものが優先度も示している場合について示す。また、再生条件情報２４として、ｎ個の再生条件（１〜ｎ）が予め設定され、再生条件１の優先度が最も高く、再生条件ｎの優先度が最も低いものとする。
【００４０】
ステップＳ１において、再生制御部６が、予め設定された予約番組のうち、視聴を開始すべき予約番組があるか否かをチェックする。ここでは、記憶部２０の予約番組情報２２を検索し、現在時刻と、予約時間とを比較して、たとえば、現在時刻が予約番組の開始時刻の数分前以内か否かをチェックする。
数分前以内であれば、開始すべき予約番組ありと判断し、ステップＳ３へ進み、開始時刻が数分前以内の予約番組がなければ、ステップＳ２へ進む。
【００４１】
ステップＳ２において、利用者によって、番組の再生を起動する入力操作あるいは、再生起動後に、チャンネルの切り替え入力操作が行われたか否かをチェックする。
再生を起動する入力操作とは、たとえば、装置の電源を投入する入力操作である。チャンネルの切替入力操作とは、現在視聴中の番組を放送しているチャンネルとは異なるチャンネルに切り替える操作である。
再生起動入力あるいはチャンネル切替入力のいずれかがあった場合は、ステップＳ５へ進み、そうでない場合はステップＳ１へ戻る。
【００４２】
ステップＳ３において、記憶部２０から、視聴を開始すべき予約番組についての予約番組情報２２を読み出す。
ステップＳ４において、番組情報取得部５が、読み出された予約番組情報２２を用いて、その予約番組の番組情報を取得して、取得番組情報２１として記憶する。この番組情報の取得は、たとえば、放送電波を受信し、その電波に含まれる放送番組情報から該当番組の情報を抽出することにより、行うことができる。
これにより、たとえば、図２の取得番組情報２１に示すような番組名とあらすじからなる予約番組についての番組情報が、記憶部２０に記憶される。
【００４３】
一方、ステップＳ５において、番組情報取得部５が、表示部４に表示すべきチャンネルで現在放送されている番組についての番組情報を取得し、取得番組情報２１として記憶する。この現在放送されている番組の番組情報も、同様に、放送電波に含まれる情報から取得される。
再生起動の入力操作が行われた場合は、装置の電源を起動させ、前回電源切断時に再生していたチャンネルで現在放送中の番組の情報（番組名、あらすじ）が取得される。チャンネルの切替操作が行われた場合は、切換後のチャンネルで現在放送されている番組の情報（番組名、あらすじ）が取得される。
【００４４】
ステップＳ６において、再生方式判定部７が、図４に詳細を示す再生方式判定処理を行う。ここでは、再生すべき番組の再生方式が決定され、判定結果２６として、「フルセグ」あるいは「ワンセグ」のどちらかが記憶される。その詳細内容は後述する。
【００４５】
ステップＳ７において、記憶された判定結果２６が「フルセグ」であればステップＳ８へ進み、「ワンセグ」であればステップＳ９へ進む。
ステップＳ８において、再生制御部６が、フルセグ再生処理を行う。ここでは、フルセグ受信部２から再生すべき番組の情報を受信し、その番組のコンテンツを、フルセグ再生方式で、表示部４に表示させる。
その後、ステップＳ１へ戻る。ただし、図示しない再生中断や電源切断などの再生終了を意味する入力操作が行われた場合は、再生処理を中断又は終了する。
【００４６】
ステップＳ９において、再生制御部６が、ワンセグ再生処理を行う。ここでは、再生すべき番組の情報をワンセグ受信部１から受信し、その番組のコンテンツを、ワンセグ再生方式で、表示部４に表示させる。その後、ステップＳ１へ戻る。
【００４７】
次に、図４のフローチャートを用いて、ステップＳ６で実行される再生方式判定処理について説明する。
図４のステップＳ２１において、キーワード比較部８が、記憶部２０からすべての再生条件情報２４を読み出す。
【００４８】
ステップＳ２２において、読み出した再生条件情報２４に含まれる再生条件の数をカウントし、変数ｎに、そのカウント数（再生条件数）を、初期設定する。
図２のように、３個の再生条件がある場合は、ｎ＝３が設定される。
【００４９】
ステップＳ２３において、読み出した再生条件情報２４のうち、ｎ番目の再生条件（条件番号ｎの再生条件）の中に含まれるキーワードを取得する。たとえば、図２の３番目の再生条件３のキーワードである「ニュース９」を取得する。
【００５０】
ステップＳ２４において、キーワード比較部８が、取得したキーワードと、ステップＳ４あるいはＳ５において取得されていた取得番組情報２１とを比較する。ここでは、番組名とあらすじからなる取得番組情報２１の中に、キーワードと一致する文字列が含まれているか否かチェックする。
たとえば、図２の取得番組情報２１の場合、ます「番組名」の中に、再生条件３のキーワード「ニュース９」と一致する文字列があるかどうかをチェックし、なければ、さらに「あらすじ」の中に、キーワード「ニュース９」と一致する文字列があるかどうかをチェックする。
この場合は、番組名にキーワード「ニュース９」と一致する文字列があることがわかる。
【００５１】
ステップＳ２５において、取得番組情報２１の中に、キーワードと一致する文字列がある場合は、ステップＳ２６へ進み、ない場合はステップＳ２７へ進む。
図２の３番目の再生条件３をチェックしている場合は、そのキーワード「ニュース９」と一致する文字列が、図２の取得番組情報２１の「番組名」の中にあるので、ステップＳ２６へ進むことになる。
【００５２】
ステップＳ２６において、ｎ番目の再生条件の再生方式を、判定結果２６に設定する。
図２の３番目の再生条件３をチェックしている場合は、その再生条件に含まれる再生方式は「ワンセグ」なので、判定結果２６に、「ワンセグ」が設定される。
【００５３】
ステップＳ２７において、残りの再生条件をチェックするために、変数ｎから１を減算する（ｎ＝ｎ−１）。ｎ＝３であった場合は、ここで、ｎ＝２となる。
【００５４】
ステップＳ２８において、ｎ＝０かどうかをチェックする。ｎ＝０の場合、再生条件情報２４の中に予め設定されているすべての再生条件をチェックしたので、処理を終了する。
ｎ＝０となっていない場合は、まだチェックすべき再生条件が残っているので、ステップＳ２３へ戻り、新たなｎ番目の再生条件について、ステップＳ２３からＳ２６までの処理をくり返す。
【００５５】
図２の再生条件情報２４において、ｎ＝２の場合は、再生条件２のキーワード「ＡＫＢ４８」と一致する文字列が取得番組情報２１の番組名とあらすじの中にないかがチェックされる。しかし、この場合は、キーワード「ＡＫＢ４８」に一致する文字列がないので、ステップＳ２５からＳ２７へ進む。
その後、ｎ＝１となった場合は、再生条件１のキーワード「ダイオウイカ」と一致する文字列が、取得番組情報２１の「あらすじ」の中にあるので、ステップＳ２５からＳ２６へ進む。
【００５６】
そして、ステップＳ２６において、１番目の再生条件１の再生方式として設定されている「フルセグ」が、判定結果２６に、上書き設定される。その後、ステップＳ２７において、ｎ＝０となるので、ステップＳ２８の判断後、判定結果２６には、「フルセグ」が記憶された状態で、処理が終了される。
従って、図４のフローチャートに基づく判定処理を行った場合は、再生条件１に設定されていた再生方式「フルセグ」が採用されることになる。
図４の判定処理では、条件番号の大きい再生条件、すなわち優先度の低い再生条件から順にチェックし、再生条件情報２４として予め設定されていたすべての再生条件をチェックするが、キーワードが取得番組情報２１に含まれる再生条件のうち、優先度が最も高い再生条件（条件番号の小さい再生条件）の再生方式が、判定結果２６として採用される。
【００５７】
このように、利用者が、番組情報に含まれると予想するキーワードと、そのキーワードが含まれる番組を視聴する場合の再生方式（フルセグかワンセグのいずれか）とを、再生条件として予め設定しておくことによって、予約番組の開始時や、チャンネルの切替入力をしたときに、利用者は、その都度、フルセグかワンセグのいずれかの再生方式を指定する入力操作をすることがなくなり、利用者の入力負担を軽減させることができ、視聴しようとする番組が、予め設定されている再生条件と一致する番組情報を持つ番組に相当する場合は、利用者が希望した再生方式ですぐに視聴することができる。
なお、視聴しようとする番組が、予め設定されたすべての再生条件を満たさない場合は、たとえば、利用者に再生方式を選択してもらうようにすればよい。
【００５８】
（実施例２）
実施例１では、再生条件情報２４の条件番号に優先度をつけて、その優先度を考慮しつつ、優先度の低い条件番号の大きな再生条件から順番に、予め設定されたすべての再生条件をチェックする場合について説明した。
【００５９】
ここでは、実施例１とは異なり、優先度の高い条件番号の小さな再生条件から順番にチェックし、そのチェックした再生条件が満たされ、再生条件に設定されたキーワードが取得番組情報２１の中に含まれている場合には、その再生条件の再生方式を判定結果として設定し、そこで処理を終了し、残りの優先度の低い設定条件についてはチェックしないようにする。
【００６０】
たとえば、図２の再生条件情報２４において、３つの再生条件のうち、優先度の最も高い１番目の再生条件１を、最初にチェックする。取得番組情報２１が図２のものであったとすると、この再生条件１のキーワード「ダイオウイカ」に一致する文字列が取得番組情報２１の中に存在するので、再生条件１が満たされ、再生条件１の再生方式「フルセグ」が、判定結果２６として採用される。
再生方式の判定結果が決定されたので、残りの優先度の低い２つの再生条件（２，３）については判定処理を行わない。
【００６１】
これにより、優先度の高い再生条件が満たされた場合、その再生条件の再生方式が判定結果として設定され、優先度の低い再生条件についての判定処理が省略されるので、再生方式の判定処理の時間を、実施例１の場合よりも短縮することができる。
【００６２】
（実施例３）
ここでは、実施例２とは異なり、設定されたすべての再生条件をチェックするが、再生条件情報２４の各再生条件のキーワードと一致可能な文字列が、取得番組情報２１の中に存在する再生条件をすべて抽出し、再生方式であるフルセグとワンセグのうち、抽出した再生条件について予め設定されていた再生方式のカウント数が多い方を、判定結果２６として採用する。
【００６３】
たとえば、取得した番組情報２１の「番組名」が、「ニュース９」であり、「あらすじ」が「ＡＫＢ４８が、南太平洋でダイオウイカを探す旅」であったとする。また、図２に示した３つの再生条件からなる再生条件情報２４が予め設定されていたとする。
この場合、１番目の再生条件１のキーワード「ダイオウイカ」については、上記の取得番組情報２１の「あらすじ」の中に含まれているので、この再生条件１を満たす。
したがって、この再生条件１について設定されている再生方式である「フルセグ」のカウント数に、１を設定する。
【００６４】
次に、２番目の再生条件２のキーワード「ＡＫＢ４８」については、同様に、上記取得番組情報２１の「あらすじ」の中に含まれているので、この再生条件２も満たす。ここでも再生条件２について設定されている再生方式は「フルセグ」であるので、「フルセグ」のカウント数に１を加算し、２とする。
【００６５】
最後に、３番目の再生条件３のキーワード「ニュース９」については、上記取得番組情報２１の「番組名」の中に含まれているので、この再生条件３も満たす。ただし、この再生条件３について設定されている再生方式は、「ワンセグ」であるので、「ワンセグ」のカウント数に、１を設定する。
【００６６】
このように、すべての再生条件について、取得番組情報２１の中にキーワードと一致する文字列があるか否かのチェックをした後、フルセグのカウント数と、ワンセグのカウント数とを求める。そこで、フルセグのカウント数とワンセグのカウント数のうち、数値の大きい方の再生方式を、判定結果２６として採用する。
【００６７】
上記の具体例の場合、フルセグのカウント数が「２」で、ワンセグのカウント数が「１」となるので、再生方式としては、カウント数の大きい「フルセグ」を採用することに決定する。
ただし、上記のように、２つのカウント数を求めた結果、フルセグとワンセグのカウント数が同一の場合があり得るが、このような場合は、さらに、他の実施例の判定方法のいずれかを用いて、再生方式を決定すればよい。あるいは、条件番号の最も小さい再生条件に設定された再生方式を採用してもよい。
【００６８】
（実施例４）
ここでは、予め設定されたすべての再生条件をチェックし、番組設定情報２３として予め設定された重要度を用いて、キーワード比較処理で満たされた再生条件の再生方式について、フルセグとワンセグのそれぞれのポイント数を計算して、ポイント数の大きい方の再生方式を、判定結果２６として採用する。
図２に示すように、番組設定情報２３の中の識別情報によって、異なる重要度が設定されていたとすると、キーワードと一致する文字列が、番組設定情報２３の中のどの識別情報に含まれていたかによって、再生方式のポイント数が異なる。
【００６９】
たとえば、図２に示す番組設定情報２３のように、番組情報を構成する「番組名」に、重要度「３」が設定され、「あらすじ」に、重要度「１」が設定されていたとする。また、図２に示すように、再生条件情報２４が３つの再生条件からなるものとする。また、取得された取得番組情報２１が、次のような番組名とあらすじからなる情報であったとする。
番組名：ニュース９
あらすじ：ＡＫＢ４８が南太平洋でダイオウイカを探す旅
この場合、まず、３つの再生条件それぞれについて、キーワードと一致する文字列が、上記取得番組情報２１の中に、存在するか否かがチェックされる。
【００７０】
たとえば、再生条件１のキーワード「ダイオウイカ」は、取得番組情報２１の「あらすじ」の中に含まれており、そのキーワードに対応する再生方式は「フルセグ」である。「フルセグ」の数は１だけ増加するが、この「フルセグ」のカウント数を求める場合は、「あらすじ」に設定されている重要度を考慮する。
ここでは、フルセグの増加数に重要度をかけあわせるものとする。
すなわち、「あらすじ」に設定されている重要度は「１」なので、この再生条件１については、「フルセグ」のカウント数＝１×１＝１となる。
【００７１】
次に、再生条件２のキーワード「ＡＫＢ４８」は、取得番組情報２１の「あらすじ」の中に含まれており、そのキーワードに対応する再生方式は「フルセグ」である。この場合も、「フルセグ」の増加数１に、「あらすじ」の重要度「１」をかけあわせて、再生条件２の「フルセグ」のカウント数を求める。
すなわち、再生条件２については、「フルセグ」のカウント数＝１×１＝１となる。
【００７２】
最後に、再生条件３のキーワード「ニュース９」は、取得番組情報２１の「番組名」の中に含まれており、そのキーワードに対応する再生方式は「ワンセグ」である。この場合は、「ワンセグ」の数を１だけ増加させることになるが、「番組名」の重要度は「３」なので、増加数にこの重要度をかけあわせたものが、再生条件３のカウント数となる。
すなわち、再生条件３については、「ワンセグ」のカウント数＝１×３＝３となる。
【００７３】
したがって、以上の３つの再生条件についてのそれぞれの再生方式のカウント数をまとめると次のようになる。
再生条件１のカウント：「フルセグ」のカウント数＝１
再生条件２のカウント：「フルセグ」のカウント数＝１
再生条件３のカウント：「ワンセグ」のカウント数＝３
ここで、再生条件１と２は、再生方式として、いずれも「フルセグ」が設定されているので、「フルセグ」のカウントの合計（フルセグ合計点）は、両者を加算し、１＋１＝２となる。
また、再生条件３のみが、「ワンセグ」が設定されているので、「ワンセグ」のカウントの合計（ワンセグ合計点）は、３となる。
このフルセグ合計点とワンセグ合計点とが、一致度演算部９によって計算された結果である演算結果情報２５として記憶される。
【００７４】
そして、演算結果比較部１０が、演算結果情報２５として記憶された２つの合計点を比較し、数値の大きい方の再生方式を判定結果２６に設定する。
上記例の場合、フルセグ合計点（＝２）＜ワンセグ合計点（＝３）なので、ワンセグ合計点の方が大きく、ワンセグが判定結果２６に設定される。
【００７５】
（実施例５）
ここでは、実施例４で利用した番組設定情報２３に加えて、再生条件情報２４の優先度を利用して、フルセグとワンセグのポイント数（合計点）を演算する。
また、優先度は、そのまま、各再生方式のポイント数に加算するものとする。
上記実施例４に示した設定情報に加えて、図２に示した再生条件情報２４に、優先度が予め設定されていたとする。
【００７６】
番組設定情報２３：「番組名」の重要度「３」
「あらすじ」の重要度「１」
取得番組情報２１：
番組名：ニュース９
あらすじ：ＡＫＢ４８が南太平洋でダイオウイカを探す旅
再生条件情報２４：
再生条件１：キーワード「ダイオウイカ」、優先度「５」、フルセグ
再生条件２：キーワード「ＡＫＢ４８」、優先度「４」、フルセグ
再生条件３：キーワード「ニュース９」、優先度「３」、ワンセグ
【００７７】
まず、実施例４と同様に、各再生条件について、番組設定情報２３の重要度を用いて、フルセグとワンセグのそれぞれの合計点を計算する。
ここまでは、実施例４と同様なので、各合計点は、次のようになる。
フルセグ合計点＝１＋１＝２
ワンセグ合計点＝３
【００７８】
さらに、３つの再生条件には、いずれも、取得番組情報２１と一致するキーワードが含まれていたので、各再生条件に予め設定されていた優先度を、それぞれの再生条件に設定されていた再生方式の合計点に、加算する。
再生条件１と２に設定されていた再生方式は「フルセグ」なので、再生条件１の優先度「５」と、再生条件２の優先度「４」とを、上記フルセグ合計点に加算する。
したがって、フルセグ合計点＝２＋５＋４＝１１となる。
一方、再生条件３に設定されていた再生方式は「ワンセグ」なので、再生条件３の優先度「３」を、上記ワンセグ合計点に加算する。
したがって、フルセグ合計点＝３＋３＝６となる。
【００７９】
すなわち、演算結果情報２５には、フルセグ合計点が１１，ワンセグ合計点が６として記憶される。この結果、演算結果比較部１０は、フルセグ合計点（＝１１）＞ワンセグ合計点（＝６）なので、数値の大きい再生方式であるフルセグを、判定結果２６に設定する。
【００８０】
（実施例６）
ここでは、実施例５と同様に、番組設定情報２３の重要度と、再生条件情報２４の優先度とを利用して、フルセグとワンセグのポイント数（合計点）を演算する。
実施例５では、優先度は加算されたが、この実施例６では、再生条件ごとに、キーワードが一致した識別情報の重要度と、その再生条件に設定されていた優先度とを乗算する。
【００８１】
実施例６でも、実施例５と同様の番組設定情報２３と、取得番組情報２１と、再生条件情報２４とが設定あるいは取得されたとする。
この場合、再生条件１については、そのキーワード「ダイオウイカ」が一致する識別情報は「あらすじ」であるので、重要度が「１」で、優先度が「５」である。再生条件１の再生方式は、「フルセグ」なので、再生条件１についてのフルセグのポイント数は、１×５＝５となる。
【００８２】
同様に、再生条件２については、そのキーワード「ＡＫＢ４８」が一致する識別情報は「あらすじ」であるので、重要度が「１」で、優先度が「４」である。再生条件２の再生方式は、「フルセグ」なので、再生条件２についてのフルセグのポイント数は、１×４＝４となる。
また、再生条件３については、そのキーワード「ニュース９」が一致する識別情報は「番組名」であるので、重要度が「３」で、優先度が「３」である。再生条件３の再生方式は、「ワンセグ」なので、再生条件３についてのワンセグのポイント数は、３×３＝９となる。
再生条件１と２に設定されている再生方式は、どちらもフルセグなので、フルセグ合計点＝５＋４＝９となる。
再生条件３のみが、設定された再生方式がワンセグなので、ワンセグ合計点＝９となる。
【００８３】
演算結果比較部１０の比較によって、演算結果情報２５の２つの合計点のうち大きい方が、判定結果２６として設定される。
しかし、上記例の場合は、フルセグ合計点とワンセグ合計点のどちらも「９」であり、同一である。したがって、この場合は、上記実施例６の演算方法では、再生方式を決定できないことになる。
このように、同点となったために、再生方式を決定できない場合は、他の実施例で示したいずれかの方法を実行して再生方式を決定すればよい。
【００８４】
あるいは、一致したキーワードを持つ再生条件が複数個ある場合、各再生条件に設定されている再生方式の個数が多い方の再生方式を採用してもよい。
上記した例では、３つの再生条件がすべて、取得番組情報に一致可能なキーワードを持つが、３つのうち、２つの再生条件（１，２）に設定された再生方式がフルセグであり、１つの再生条件３の再生方式のみがワンセグであるので、再生方式に対応する再生条件の個数について、フルセグの方がワンセグよりも多いので、フルセグを判定結果２６として採用すればよい。
【００８５】
以上のように、再生方式の判定処理の実施例として、６つの実施例を示したが、いずれの判定処理を使用するかを、予め利用者が設定しておいてもよい。
また、判定処理は１つではなく、複数個選択してもよく、複数個選択した場合は、どの実施例の判定処理を優先的に使用するかを予め設定しておき、使用する優先順位も設定しておくことが好ましい。
上記したいずれの実施例についても、予め設定された再生条件情報２４を用いるので、予約情報の視聴開始時や、チャンネル切替時に、利用者が自らの意思で再生方式を設定する入力操作をする必要はほとんどなく、再生方式を決定するための利用者の操作負担を軽減できる。
【符号の説明】
【００８６】
１  ワンセグ受信部、  ２  フルセグ受信部、  ３  入力部、  ４  表示部、  ５  番組情報取得部、  ６  再生制御部、  ７  再生方式判定部、  ８  キーワード比較部、  ９  一致度演算部、  １０  演算結果比較部、  ２０  記憶部、  ２１  取得番組情報、  ２２  予約番組情報、  ２３  番組設定情報、  ２４  再生条件情報、  ２５  演算結果情報、  ２６  判定結果
【図１】
2015109587.tif 000003
【図２】
2015109587.tif 000004
【図３】
2015109587.tif 000005
【図４】
2015109587.tif 000006